(57)【要約】【課題】本発明は液体をタンクに供給する際の異種混合事故を防止することを課題とする。【解決手段】液体供給システム１０は、軽油を供給する第１の液体供給装置２０Ａと、尿素水を供給する第２の液体供給装置２０Ｂとを有する。第１の液体供給装置２０Ａの供給ノズル３２Ａにより軽油を供給しているときに、第２の液体供給装置２０Ｂの供給ノズル３２Ｂにより尿素水の供給を開始する。その際、尿素水の供給開始は、軽油を供給してからであることを条件とする。軽油の供給を条件として尿素水の供給を許可するため、液種センサを設けなくても軽油用タンクに尿素水を誤って供給してしまう異種混合事故(コンタミネーション)を防止することが可能になる。【選択図】図１
2007182241.tif 000002
【特許請求の範囲】
【請求項１】
第１の液体を供給する第１の液体供給系統と、第２の液体を供給する第２の液体供給系統とを有する液体供給システムにおいて、
前記第１の液体供給系統により前記第１の液体が供給された場合に前記第２の液体供給系統の供給を可能にする供給系統制御手段を設けたことを特徴とする液体供給システム。
【請求項２】
前記供給系統制御手段は、
前記第１液体供給系統より第１の液体が供給された場合に前記第２の液体供給系統に供給許可信号を送信する許可手段と、
前記許可手段により前記供給許可信号が送信された場合に前記第２の液体供給系統を稼動させる制御手段と、
を有することを特徴とする請求項１に記載の液体供給システム。
【請求項３】
前記第１の液体供給系統より第１の液体が供給されていない場合に操作されると、前記第２の液体の供給許可信号を前記第２の液体供給系統に送信する供給禁止解除手段を設けたことを特徴とする請求項１に記載の液体供給システム。
【発明の詳細な説明】
【技術分野】
【０００１】
本発明は液体供給システムに係り、特に２種類の液体を供給する場合に誤って対象外のタンクに液体を供給することを防止するよう構成された液体供給システムに関する。
【背景技術】
【０００２】
例えば、車両の燃料タンクにガソリン等の燃料を供給する燃料供給装置では、燃料タンクに残留している燃料がガソリンか否かを検出するための液種センサを有しており、液種センサの検出値に基づく液種が予め設定された液種と同一であれば、燃料タンクへの供給許可がなされて当該燃料タンクへの供給が可能になる（例えば、特許文献１参照）。
【０００３】
また、判定結果が予め設定された液種と一致しない場合には、供給許可がなされず、燃料タンクでの異油種混合事故（コンタミネーション）が防止される。
【０００４】
一方、例えば燃料を貯留する燃料タンクの他に排気ガスを浄化するために使用される尿素水のタンクを備えた車両のように、複数の種類の液体を貯留するタンクを有する車両が近年増加傾向にある。このような二種類の液体のタンクを搭載した車両が給油のため給油所に到着すると、車両に搭載された燃料タンクと、他のタンクの夫々に当該タンクにそれぞれ液体を供給する作業を行なうことになる。
【０００５】
その際、車両には２種類のタンクが設けられているので、給油所の係員は、各タンクへ供給される液種を間違えないように注意しなければならない。
【特許文献１】特開平５−７７８９８号公報
【発明の開示】
【発明が解決しようとする課題】
【０００６】
上記従来技術においては、タンクに供給すべき液体を間違えて他の液体を供給することにより生ずる異液種混合事故を防止するためには、各液体の供給装置毎に液種センサを設け、液種センサの検出値に基づく液種が供給しようとする液種と同一であれば、当該液体の供給を許可することが考えられる。
【０００７】
しかし、この場合、各液体を供給する液体供給経路の夫々に液種センサを設けることになるので、構成が複雑になるという問題があり、かつ、各液体の供給装置毎に液種センサを設けなくてはならないことからコストがかかるという問題点があった。
【０００８】
また、液種センサによる液種の判別が難しい液体の場合には、種類の判定が的確に行えないという問題があった。
【０００９】
そこで、本発明は上記事情に鑑み、課題を解決した液体供給システムを提供することを目的とする。
【課題を解決するための手段】
【００１０】
上記課題を解決するため、本発明は以下のような手段を有する。
【００１１】
請求項１記載の発明は、第１の液体を供給する第１の液体供給系統と、第２の液体を供給する第２の液体供給系統とを有する液体供給システムにおいて、前記第１の液体供給系統により前記第１の液体が供給された場合に前記第２の液体供給系統の供給を可能にする供給系統制御手段を設けたことを特徴とする。
【００１２】
請求項２記載の発明は、前記供給系統制御手段が、前記第１液体供給系統より第１の液体が供給された場合に前記第２の液体供給系統に供給許可信号を送信する許可手段と、前記許可手段により前記供給許可信号が送信された場合に前記第２の液体供給系統を稼動させる制御手段と、を有することを特徴とする。
【００１３】
請求項３記載の発明は、前記第１の液体供給系統より第１の液体が供給されていない場合に操作されると、前記第２の液体の供給許可信号を前記第２の液体供給系統に送信する供給禁止解除手段を設けたことを特徴とする。
【発明の効果】
【００１４】
本発明によれば、第１の液体供給系統により第１の液体を供給しているときに第２の液体供給系統の供給を可能にするため、第１の液体と第２の液体とを関連付けて供給することができ、例えば、第１の液体を供給しない場合には第２の液体を供給できず、第１の液体を必要としない車両の場合には、第２の液体の供給を禁止して誤って第２の液体を供給してしまうことを防止できる。
【００１５】
また、本発明によれば、第１の液体が供給されていない場合に操作されると、第２の液体の供給許可信号を前記第２の液体供給系統に送信するため、第２の液体のみを供給したい場合には第１の液体の供給中を条件とせずに第２の液体の供給禁止を解除して第２の液体のみの供給を可能にする。
【発明を実施するための最良の形態】
【００１６】
以下、図面を参照して本発明を実施するための最良の形態について説明する。
【実施例１】
【００１７】
図１は本発明による液体供給システムの一実施例を示す構成図である。図１に示されるように、液体供給システム１０は、軽油（第１の液体）を供給する第１の液体供給装置２０Ａと、尿素水（第２の液体）を供給する第２の液体供給装置２０Ｂとを有する。
【００１８】
第１の液体供給装置２０Ａは、軽油以外の油液（例えば、ガソリン等）を供給できるように複数の液体供給系統を有するが、ここでは、説明の便宜上、軽油用の液体供給系統のみについて説明する。
【００１９】
第１の液体供給装置２０Ａは、軽油が貯留された地下タンク（図示せず）に挿通された給液管路２２Ａにポンプ２４Ａ、流量計２６Ａ、電磁弁２８Ａが配設されている。また、給液管路２２Ａの下流側には、給液ホース３０Ａ、供給ノズル３２Ａが接続されている。そして、ポンプ２４Ａ、流量計２６Ａ、電磁弁２８Ａは、制御部３４Ａにより制御されるように信号線（図１中、破線で示す）を介して制御部３４Ａと接続されている。
【００２０】
また、制御部３４Ａには、流量表示器３６Ａ、ノズル掛けスイッチ３８Ａ、メモリ３９が接続されている。上記給液管路２２Ａ、ポンプ２４Ａ、流量計２６Ａ、電磁弁２８Ａ、給液ホース３０Ａ、供給ノズル３２Ａによって第１の液体供給系統が構成されている。
【００２１】
さらに、制御部３４Ａは、通信線４０を介して第２の液体供給装置２０Ｂの制御部３４Ｂと通信可能に接続されている。また、第２の液体供給装置２０Ｂは、第１の液体供給装置２０Ａの構成と略同じであり、第２の液体供給系統を構成する給液管路２２Ｂ、ポンプ２４Ｂ、流量計２６Ｂ、電磁弁２８Ｂ、給液ホース３０Ｂ、供給ノズル３２Ｂを有する。
【００２２】
また、第２の液体供給装置２０Ｂは、尿素水のみを供給する場合に操作される解除スイッチ５０が設けられている。この解除スイッチ５０は、軽油を供給しない場合でも、給油所の係員がオンに操作することで第２の液体供給装置２０Ｂの供給禁止条件を解除することができる。
【００２３】
図２は軽油用タンクと尿素水用タンクが搭載された自動車の側面図である。図２に示されるように、自動車４１は軽油を燃料とするエンジン（図示せず）が搭載されており、車体側面には軽油用タンク４２と、尿素水用タンク４４とが並設されている。尿素水用タンク４４は、軽油用タンク４２の容量に比べて小さいが、消費量が軽油よりも少ないので、供給回数が軽油の場合よりも少なくて済む。
【００２４】
本実施例では、軽油用タンク４２の供給口４２ａからキャップ４２ｂを外して供給ノズル３２Ａを供給口４２ａに挿入してノズルレバー（図示せず）を開弁方向に操作することで軽油の供給が開始される。続いて、軽油を供給しているときに、尿素水用タンク４４の供給口４４ａからキャップ４４ｂを外して供給ノズル３２Ｂを供給口４４ａに挿入してノズルレバー（図示せず）を開弁方向に操作することで尿素水の供給が開始される。その際、尿素水の供給開始は、軽油を供給中であることが条件となる。
【００２５】
ここで、第１の液体供給装置２０Ａの制御部３４Ａが実行する制御処理について図３のフローチャートを参照して説明する。図３に示されるように、制御部３４Ａは、Ｓ１１で電源スイッチがオンに操作されると、Ｓ１２に進み、第１液種信号（状態信号）をHIGHレベル（待機中を表す）に設定する。これにより、メモリ３９には、第１液種信号がHIGHレベルに設定されたことが記憶される。係員は、ノズル掛け４６Ａから供給ノズル３２Ａを外して軽油用タンク４２の供給口４２ａに挿入し、ノズルレバーを開弁方向に操作する。
【００２６】
Ｓ１３において、ノズル掛け４６Ａから供給ノズル３２Ａが外されてノズル掛け４６Ａのノズル掛けスイッチ３８Ａがオフになると、Ｓ１４に進み、第１液種信号（状態信号）をLOWレベル（給液中を表す）に設定する。これにより、メモリ３９には、第１液種信号がLOWレベルに設定されたことが記憶される。
【００２７】
次のＳ１５では、流量表示器３６Ａに表示される給液量をゼロリセットする。そして、Ｓ１６に進み、ポンプ２４Ａが起動すると共に、電磁弁２８Ａを開弁する。これにより、ポンプ２４Ａによって地下タンクから汲み上げられた軽油は、軽油用タンク４２に供給される。
【００２８】
続いて、Ｓ１７では、流量計２６Ａから出力された流量パルスを積算して計測された流量積算値をメモリ３９の流量記憶エリア（図示せず）に格納する。そして、Ｓ１８では、流量表示器３６Ａに表示される数値を更新して現在の軽油給液量を表示させる。
【００２９】
次のＳ１９では、ノズル掛け４６Ａのノズル掛けスイッチ３８Ａがオンか否かをチェックする。Ｓ１９において、ノズル掛けスイッチ３８Ａがオフであるときは、ノズル掛け４６Ａから供給ノズル３２Ａが外されているので、給液中であると判断し、上記Ｓ１６に戻り、Ｓ１６〜Ｓ１８の処理を繰り返す。
【００３０】
係員は、軽油用タンク４２への供給が終了すると、ノズルレバーを閉弁方向に操作して供給ノズル３２Ａを軽油用タンク４２の供給口４２ａから外してノズル掛け４６Ａに戻す。そして、軽油用タンク４２の供給口４２ａにキャップ４２ｂを装着する。また、上記Ｓ１９において、ノズル掛けスイッチ３８Ａがオンであるときは、ノズル掛け４６Ａに供給ノズル３２Ａが戻されているので、給液終了と判断し、Ｓ２０に進み、第１液種信号をHIGHレベル（待機中を表す）に設定する。これにより、メモリ３９に記憶された第１液種信号（状態信号）は、HIGHレベルに更新されたことが記憶される。この後、Ｓ２１ではポンプ２４Ａを停止すると共に、電磁弁２８Ａを閉弁する。これで、今回の軽油の供給処理が終了する。
【００３１】
この後、制御部３４Ａは、上記Ｓ１３〜Ｓ２１の処理を繰り返す。また、制御部３４Ａは、電源スイッチ（図示せず）がオフに操作されると、上記制御処理を終了する。
【００３２】
ここで、通信線４０を介して制御部３４Ａと制御部３４Ｂとの間で行なわれる通信制御について図４を参照して説明する。尚、図４では制御部３４Ａと制御部３４Ｂとの間信号の送受信を時系列的に示すタイミングチャートであり、図４中時間軸が上方から下方に進むものとする。
【００３３】
第２の液体供給装置２０Ｂの制御部３４Ｂは、ノズル掛けスイッチ３８Ｂがオフになると、第１の液体供給装置２０Ａの制御部３４Ａに対して状態要求信号を送信する。そして、送信制御部３４Ｂから制御部３４Ａに対して状態要求信号（１Ｂ）が送信されたときは、制御部３４Ａが待機中（第１液種信号がHIGHレベル）であるので、制御部３４Ａは制御部３４Ｂに待機中信号（１Ａ）を送信する。
【００３４】
また、制御部３４Ｂから制御部３４Ａに対して状態要求信号（２Ｂ）が送信されたときは、制御部３４Ａが供給中（第１液種信号がLOWレベル）であるので、制御部３４Ａは制御部３４Ｂに供給中信号（２Ａ）を送信する。そのため、制御部３４Ｂでは、尿素水の供給が可能になる。
【００３５】
また、制御部３４Ｂから制御部３４Ａに対して状態要求信号（３Ｂ）が送信されたときは、制御部３４Ａが供給終了して待機中（第１液種信号がHIGHレベル）であるので、制御部３４Ａは制御部３４Ｂに待機中信号（３Ａ）を送信する。
【００３６】
次に第２の液体供給装置２０Ｂの制御部３４Ｂが実行する制御処理１について図５のフローチャートを参照して説明する。図５に示されるように、制御部３４Ｂは、Ｓ３１で電源スイッチがオンに操作されると、Ｓ３２に進み、ノズル掛け４６Ａのノズル掛けスイッチ３８Ａがオフか否かをチェックする。係員は、軽油の供給が終了した後、ノズル掛け４６Ｂから供給ノズル３２Ｂを外して尿素水用タンク４４の供給口４４ａに挿入し、ノズルレバーを開弁方向に操作する。
【００３７】
Ｓ３３では、制御部３４Ａに対して状態要求信号を送信する。次のＳ３４では、制御部３４Ａからの状態信号を受信したか否かをチェックする。Ｓ３４において、制御部３４Ａからの状態信号を受信すると、Ｓ３５に進み、受信した第１液種信号（状態信号）がLOWレベル（軽油給液中を表す）か否かをチェックする。上記Ｓ３５において、制御部３４Ａから送信された第１液種信号（状態信号）がLOWレベル（軽油給液中を表す）であるときは、Ｓ３６に進み、流量表示器３６Ｂに表示される給液量をゼロリセットする。そして、Ｓ３７に進み、ポンプ２４Ｂが起動すると共に、電磁弁２８Ｂを開弁する。これにより、ポンプ２４Ｂによって汲み上げられた尿素水は、尿素水用タンク４４に供給される。
【００３８】
続いて、Ｓ３８では、流量計２６Ｂから出力された流量パルスを積算する。そして、Ｓ３９では、流量表示器３６Ｂに表示される数値を更新して現在の尿素水給液量を表示させる。
【００３９】
次のＳ４０では、ノズル掛け４６Ｂのノズル掛けスイッチ３８Ｂがオンか否かをチェックする。Ｓ４０において、ノズル掛けスイッチ３８Ｂがオフであるときは、ノズル掛け４６Ｂから供給ノズル３２Ｂが外されているので、給液中であると判断し、上記Ｓ３８に戻り、Ｓ３８〜Ｓ４０の処理を繰り返す。
【００４０】
係員は、尿素水用タンク４４への供給が終了すると、ノズルレバーを閉弁方向に操作して供給ノズル３２Ｂを尿素水用タンク４４の供給口４４ａから外してノズル掛け４６Ｂに戻す。そして、尿素水用タンク４４の供給口４４ａにキャップ４４ｂを装着する。また、上記Ｓ４０において、ノズル掛けスイッチ３８Ｂがオンであるときは、ノズル掛け４６Ｂに供給ノズル３２Ｂが戻されているので、尿素水給液終了と判断し、Ｓ４１に進み、ポンプ２４Ｂを停止すると共に、電磁弁２８Ｂを閉弁する。これで、今回の尿素水の供給処理が終了する。
【００４１】
また、上記Ｓ３５において、受信した第１液種信号（状態信号）がHIGH（待機中）であるときは、まだ軽油の供給が開始されていないので、Ｓ４２に進み、操作手順が間違いであることをアラーム等で報知する。続いて、Ｓ４３では、ノズル掛け４６Ｂのノズル掛けスイッチ３８Ｂがオンか否かをチェックする。Ｓ４３において、ノズル掛けスイッチ３８Ｂがオンであるときは、ノズル掛け４６Ｂに供給ノズル３２Ｂが戻されているので、Ｓ４４に進み、操作手順アラームを停止させて操作手順が間違いの報知を解除する。このあとは、再び上記Ｓ３２に戻る。
【００４２】
このように、軽油の供給を条件として尿素水の供給を許可するため、液種センサを設けなくても軽油用タンクに尿素水を誤って供給してしまう異種混合事故(コンタミネーション)を防止することが可能になる。
【００４３】
なお、上記実施例では、液体供給装置２が液体供給装置１に通信線４０を介して状態要求信号を送信し、液体供給装置1ではこの状態要求信号の受信に基づき当該液体供給装置1の状態（給油中であるか否か）を示す状態信号を通信線４０を介して液体供給装置２へ送信することにより、液体供給装置２において液体供給装置１が給油中であるか否かを判断できるようにしているが、液体供給装置２において液体供給装置１が給油中であるか否かを判断する構成は多々存在する。
【００４４】
例えば、液体供給装置1は、給油中であるか否かの状態信号を常に液体供給装置２へ送信しつづける構成とし、液体供給装置２では、この状態信号から液体供給装置１が給油中であるか否かを判別するようにしても良く、この場合には、液体供給装置２では液体供給装置１に問い合わせることなく液体供給装置１が給油中であるか否かを判定することができる。
【００４５】
また、上記実施例では、液体供給装置1が給油中のときのみ、液体供給装置２を用いての液体の供給を可能としているが、液体供給装置２は液体供給装置1が給油中であるときのみ給油可能とするのではなく、例えば、液体供給装置１が終了してから所定時間内までは液体供給装置２による液体の供給を可能としても良いのは勿論である。
【００４６】
このように制御を変更する場合、図３の液体供給装置１の制御処理のフローチャートにおいて、Ｓ１９とＳ２０との間に、Ｓ１９においてノズル掛け４６Ａのノズル掛けスイッチ３８Ａがオンであると判定してから所定時間経過したか否かの判断を設け、所定時間経過した場合にＳ２０の処理に移行して第１液種信号をHIGHレベルに設定するようにすればよい。このように制御処理を変更すれば、ノズル掛け４６Ａに供給ノズル３２Ａが戻されてからであっても所定時間内は液体供給装置２よりの液体の供給が可能になる。
【００４７】
次に第２の液体供給装置２０Ｂの制御部３４Ｂが実行する制御処理の変形例（制御処理２）を図６のフローチャートを参照して説明する。尚、図６中、Ｓ５１〜Ｓ６１の処理は、前述した実施例の制御処理1のＳ３１〜Ｓ４１と同様な処理であるので、その説明を省略する。
【００４８】
図６に示されるように、制御部３４Ｂは、Ｓ５５において、制御部３４Ａから送信された第１液種信号（状態信号）がLOWレベル（軽油給液中を表す）であるときは、Ｓ６２に進み、操作手順が間違いであることをアラーム等で報知する。続いて、Ｓ６３では、解除スイッチ５０がオンに操作されたか否かをチェックする。上記Ｓ６３において、解除スイッチ５０がオンに操作されたときは、Ｓ５６に移行してＳ５６〜Ｓ６１の処理を行って尿素水の供給を行なう。
【００４９】
また、上記Ｓ６３において、解除スイッチ５０がオンに操作されないときは、Ｓ６５に進み、ノズル掛け４６Ｂのノズル掛けスイッチ３８Ｂがオンか否かをチェックする。Ｓ６５において、ノズル掛けスイッチ３８Ｂがオンであるときは、ノズル掛け４６Ｂに供給ノズル３２Ｂが戻されているので、Ｓ６６に進み、操作手順アラームを停止させて操作手順が間違いの報知を解除する。このあとは、再び上記Ｓ５２に戻る。
【００５０】
このように、解除スイッチ５０をオンに操作することで、軽油供給の条件が解除され、軽油供給を行わずに尿素水の供給が可能になる。例えば、軽油を供給した後で尿素水を供給することを思い出した場合などに解除スイッチ５０を操作することで尿素水の供給が可能となり、利便性を向上させることができる。
【産業上の利用可能性】
【００５１】
上記実施例では、軽油と尿素水を供給する場合を一例として挙げたが、これに限らず、例えば、ガソリン（第１の液体）とこれへの添加剤（第２の液体）との組み合わせなど、他の複数の液体を供給する場合にも本発明を適用できるのは勿論である。
【００５２】
また、上記実施例では、自動車に搭載された２種類のタンクの夫々に異なる液体を供給する場合を説明したが、自動車以外のものに設けられたタンクへの液体供給にも適用することができるのは言うまでもない。
【図面の簡単な説明】
【００５３】
【図１】本発明による液体供給システムの一実施例を示す構成図である。
【図２】軽油用タンクと尿素水用タンクが搭載された自動車の側面図である。
【図３】第１の液体供給装置２０Ａの制御部３４Ａが実行する制御処理を説明するためのフローチャートである。
【図４】制御部３４Ａと制御部３４Ｂとの間信号の送受信を時系列的に示すタイミングチャートである。
【図５】第２の液体供給装置２０Ｂの制御部３４Ｂが実行する制御処理１を説明するためのフローチャートである。
【図６】第２の液体供給装置２０Ｂの制御部３４Ｂが実行する制御処理２を説明するためのフローチャートである。
【符号の説明】
【００５４】
１０  液体供給システム
２０Ａ  第１の液体供給装置
２０Ｂ  第２の液体供給装置
２４Ａ，２４Ｂ  ポンプ
２６Ａ，２６Ｂ  流量計
２８Ａ，２８Ｂ  電磁弁
３２Ａ，３２Ｂ  供給ノズル
３４Ａ，３４Ｂ  制御部
３８Ａ，３８Ｂ  ノズル掛けスイッチ
４０  通信線
４２  軽油用タンク
４４  尿素水用タンク
５０  解除スイッチ
【図１】
2007182241.tif 000003
【図２】
2007182241.tif 000004
【図３】
2007182241.tif 000005
【図４】
2007182241.tif 000006
【図５】
2007182241.tif 000007
【図６】
2007182241.tif 000008